(57)【要約】【課題】たとえ遊技機本体に衝撃が加えられる等したとしても、羽根手段が不用意に開動作しにくい非電動役物を備えた遊技機を提供する。【解決手段】保持部材４６を起立姿勢側へ付勢する錘部材４７に当接片４７ｃを設ける一方、当接片４７ｃよりも後側に突出する当接壁９１を本体ケース４２内に設け、当接壁９１の前面に一端を、当接片４７ｃの後面に他端を夫々当接させようにしてコイルバネ９０を取り付け、当該コイルバネ９０により保持部材４６が起立姿勢である際の姿勢である第１姿勢側へ錘部材４７を付勢するようにした。【選択図】図８
2020156736.tif 000002
【特許請求の範囲】
【請求項１】
前後方向を軸として回動することにより閉姿勢と開姿勢とで姿勢を変更するとともに、前記開姿勢側へ付勢する付勢手段、及び後方へ突出する保持突起が設けられた左右一対の羽根手段と、
前記羽根手段の後側で左右方向を軸として前後に傾動することにより、保持部が左右の前記保持突起間に位置して前記羽根手段を前記閉姿勢で保持する起立姿勢と、前記保持部が前記保持突起よりも後側に位置して前記羽根手段の前記開姿勢への姿勢変更を許容する傾倒姿勢とに姿勢を変更可能な保持手段と、
前記保持手段の後側に設けられているとともに遊技球が通過する通過部を有し、遊技球の前記通過部の通過に応じて前記保持手段を後側へ引っ張ることにより、前記保持手段の姿勢を前記起立姿勢から前記傾倒姿勢へ変更させる作動手段と、
前記羽根手段、前記保持手段、及び前記作動手段が取り付けられる本体ケースとを有する非電動役物が備えられた遊技機であって、
前記本体ケース内に当接部が設けられているとともに、コイルバネが、一端を前記当接部に、他端を前記保持手段若しくは前記作動手段に夫々当接させた状態で取り付けられており、
前記コイルバネによって、前記保持手段が直接若しくは間接的に前記起立姿勢側へ付勢されていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、開閉動作する左右一対の羽根手段を有する役物として、遊技領域内へ打ち込まれた遊技球が作用することで羽根手段が開閉動作する非電動役物が設けられることがある（たとえば特許文献１）。
【先行技術文献】
【特許文献】
【０００３】
【特許文献１】特開２０１７−２２１３６８号公報
【発明の概要】
【発明が解決しようとする課題】
【０００４】
しかしながら、上述したような非電動役物では、遊技者が遊技機本体に衝撃を加える等した際に、不用意に羽根手段が開動作するおそれがあるという問題がある。
【０００５】
そこで、本発明は、上記問題に鑑みなされたものであって、たとえ遊技機本体に衝撃が加えられる等したとしても、羽根手段が不用意に開動作しにくい非電動役物を備えた遊技機を提供しようとするものである。
【課題を解決するための手段】
【０００６】
上記目的を達成するために、本発明は、前後方向を軸として回動することにより閉姿勢と開姿勢とで姿勢を変更するとともに、前記開姿勢側へ付勢する付勢手段、及び後方へ突出する保持突起が設けられた左右一対の羽根手段と、前記羽根手段の後側で左右方向を軸として前後に傾動することにより、保持部が左右の前記保持突起間に位置して前記羽根手段を前記閉姿勢で保持する起立姿勢と、前記保持部が前記保持突起よりも後側に位置して前記羽根手段の前記開姿勢への姿勢変更を許容する傾倒姿勢とに姿勢を変更可能な保持手段と、前記保持手段の後側に設けられているとともに遊技球が通過する通過部を有し、遊技球の前記通過部の通過に応じて前記保持手段を後側へ引っ張ることにより、前記保持手段の姿勢を前記起立姿勢から前記傾倒姿勢へ変更させる作動手段と、前記羽根手段、前記保持手段、及び前記作動手段が取り付けられる本体ケースとを有する非電動役物が備えられた遊技機であって、前記本体ケース内に当接部が設けられているとともに、コイルバネが、一端を前記当接部に、他端を前記保持手段若しくは前記作動手段に夫々当接させた状態で取り付けられており、前記コイルバネによって、前記保持手段が直接若しくは間接的に前記起立姿勢側へ付勢されていることを特徴とする。
【０００７】
なお、上記発明において、前記保持手段に、左右外側へ突出する傾動軸が設けられているとともに、前記傾動軸の下側に左右外側へ突出するガイド部が設けられている一方、前記本体ケースに、前記傾動軸を軸支する軸孔として、上下方向に長い長孔状の軸孔が設けられているとともに、前記軸孔の下側に、前記ガイド部が係合可能で、前記保持手段の傾動を案内する円弧状で、且つ、前端に下方へ延びるロック部を有するガイド孔が設けられており、前記保持手段は、前記起立姿勢にあると、前記傾動軸が前記軸孔の下端に、前記ガイド部が前記ロック部の下端に夫々位置した状態にある一方、前記起立姿勢から前記傾倒姿勢へと姿勢を変更するに際して、一旦上方へスライドした後で左右方向を軸として傾動するという構成を採用することも考えられる。
そして、そのような構成を採用することにより、羽根手段の回動とは独立して保持手段を一旦上方へスライドさせなければ、羽根手段は開動作しなくなる。したがって、羽根手段に針金等の不正部材を引っかける等して開動作させようとしても羽根手段が開動作することはなく、防犯性の高い遊技機とすることができるという効果を奏することができる。
【発明の効果】
【０００８】
本発明によれば、本体ケース内に当接部が設けられているとともに、コイルバネが、一端を当接部に、他端を保持手段若しくは作動手段に夫々当接させた状態で取り付けられており、コイルバネによって、保持手段が直接若しくは間接的に起立姿勢側へ付勢されているようにした。したがって、従来よりも羽根手段を閉姿勢のままで保持する力が強く、たとえ遊技者により遊技機本体に衝撃が加えられる等したとしても、羽根手段が不用意に開動作してしまう事態を効果的に防止することができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】閉状態にある非電動役物を前側から示した斜視説明図である。
【図５】閉状態にある非電動役物を後側から示した斜視説明図である。
【図６】開状態にある非電動役物を前側から示した斜視説明図である。
【図７】開状態にある非電動役物を後側から示した斜視説明図である。
【図８】閉状態にある非電動役物の開閉機構部を前側から示した斜視説明図である。
【図９】閉状態にある非電動役物の開閉機構部を後側から示した斜視説明図である。
【図１０】開状態にある非電動役物の開閉機構部を前側から示した斜視説明図である。
【図１１】開状態にある非電動役物の開閉機構部を後側から示した斜視説明図である。
【図１２】閉状態にある非電動役物の本体ケース内部（右ケース側）を示した斜視説明図である。
【図１３】開状態にある非電動役物の本体ケース内部（右ケース側）を示した斜視説明図である。
【図１４】閉状態にある非電動役物へ遊技球が入賞する様子を示した断面説明図である。
【図１５】開状態にある非電動役物へ遊技球が入賞する様子を示した断面説明図である。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央稍上寄りとなる位置には、「０」〜「９」の数字からなる装飾図柄やキャラクター等を表示するための演出用表示部６、演出用表示部６の下辺に沿って左右方向に延設されており、上面を遊技球が左右に転動可能な転動面８１、及び遊技領域１６内を流下する遊技球を転動面８１上へ導くためのワープ通路８２等を有する表示部材８０が設置されている。さらに、表示部材８０の下方で遊技領域１６の中央部から下部にかけて、遊技球が進入可能な進入口３１、進入口３１から左右に分岐しつつ下方へ延びる遊技球流路３２、遊技球流路３２の分岐部等に配される種々の電動役物、遊技球流路３２を流下する遊技球が最終的に到達するステージ７９、遊技球が入賞可能な非電動役物４０、ステージ７９上に開設されており、遊技球の進入が非電動役物４０を開動作させる契機となる作動口（図示せず）、及び非電動役物４０の左右両側に設けられ、非電動役物４０に入賞しなかった遊技球等を再び遊技領域１６内へ排出する排出口（図示せず）等を備えたセンター部材２６が設置されている。
【００１３】
また、表示部材８０及びセンター部材２６の左方には、遊技球が流下可能で、遊技球が入賞可能な入賞部材８４、８４が設置された左打ち用スペースＳＬが形成されており、この左打ち用スペースＳＬを流下させることで、ワープ通路８２への進入（すなわち、転動面８１上への誘導）や進入口３１への進入（すなわち、センター部材２６への進入）を効率良く狙えるようになっている。一方、表示部材８０及びセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂大当たり状態において交互に開閉する２つの可動入賞装置１８Ａ、１８Ｂが設置されている。そして、遊技球を左打ち用スペースＳＬではなく右打ち用スペースＳＲを流下させることで、ゲート部材２０を通過させたり、開動作しているチューリップ式電動役物１７へ入賞させたり、開成している可動入賞装置１８Ａ、１８Ｂへ入賞させたりすることができるようになっている。
【００１４】
なお、左打ち用スペースＳＬや右打ち用スペースＳＲには、多数の遊技釘が植設されている。また、遊技領域１６外となる遊技盤２の右下部には、第１特別図柄及び第２特別図柄を夫々別個に表示可能とした特別図柄表示部８３が設けられている。さらに、遊技領域１６の下端位置には、遊技領域１６内へ打ち込まれた遊技球のうち、入賞部材へ入賞等することなく流下してきた遊技球を回収するためのアウト口３３が設けられている。
【００１５】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１６】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１７】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、センター部材２６への遊技球の進入、すなわち進入口３１への進入を狙う。また、進入口３１からセンター部材２６内へ進入した遊技球は、遊技球流路３２により種々のルートに振り分けられながらも最終的にはステージ７９上に到達する。さらに、ステージ７９上に到達した遊技球が非電動役物４０へ入賞すると、所謂大当たり抽選が実行されるとともに、演出用表示部６において装飾図柄が、特別図柄表示部８３において第１特別図柄が夫々変動開始となる。そして、大当たり抽選の結果が「大当たり」であると、演出用表示部６及び特別図柄表示部８３に夫々所定の「大当たり図柄」が確定表示される（たとえば、演出用表示部６に「７、７」と確定表示される）。また、「大当たり図柄」が確定表示されると、可動入賞装置１８Ａ、１８Ｂを夫々１回ずつ開成させるといった所謂「大当たり状態」が生起する。そこで、遊技者は、遊技球を右打ち用スペースＳＲへ打ち込んで流下させる所謂右打ちを行い、開成する可動入賞装置１８Ａ、１８Ｂへの遊技球の入賞を狙う。なお、遊技球が非電動役物４０へ入賞したものの、大当たり抽選の結果が「はずれ」であると、演出用表示部６及び特別図柄表示部８３に夫々所定の「はずれ図柄」が確定表示され、大当たり状態が生起することはない。
【００１８】
また、大当たり状態が終了すると、ゲート部材２０への遊技球の通過検知に起因して実行される所謂当たり抽選の結果が「当たり」となりやすく、チューリップ式電動役物１７が頻繁に開状態となって遊技球の入賞が可能となるとともに、チューリップ式電動役物１７への入賞検知に起因して実行される大当たり抽選の結果が「大当たり」となりやすい所謂確変状態が生起する。そこで、遊技者は右打ちを継続し、ゲート部材２０への遊技球の通過、及び頻繁に開状態となるチューリップ式電動役物１７への遊技球の入賞を狙う。また、チューリップ式電動役物１７への遊技球の入賞に応じて実行された大当たり抽選の結果が「大当たり」になると、特別図柄表示部８３及び演出用表示部６に「大当たり図柄」が確定表示され、可動入賞装置１８Ａ、１８Ｂを夫々１回ずつ開成させる「大当たり状態」が再び生起する。なお、チューリップ式電動役物１７へ遊技球が入賞した場合、特別図柄表示部８３では第２特別図柄を変動／確定表示させる。
【００１９】
そして、最初の確変状態から繰り返される「大当たり図柄」での確定表示回数が所定回数（たとえば１０回）に達し、当該所定回数目の「大当たり図柄」の確定表示に伴い生起した「大当たり状態」が終了すると、確変状態を生起させることなく、ゲート部材２０への遊技球の通過検知に起因して実行される当たり抽選の結果が「当たり」となりにくく（或いは「当たり」とならず）、チューリップ式電動役物１７がほぼ開状態とならない（或いは開状態になることがない）上、大当たり抽選の結果が「大当たり」となりにくい遊技開始当初の通常状態へ復帰する。そのため、遊技者は、右打ちを止めて左打ちを行う上記遊技へと戻る。
【００２０】
（非電動役物の説明）
ここで、本発明の要部となる非電動役物４０について、図４〜図１５にもとづき詳細に説明する。
図４及び図５は、閉状態にある非電動役物４０を示した斜視説明図であり、図４は前側から、図５は後側から夫々示している。図６及び図７は、開状態にある非電動役物４０を示した斜視説明図であり、図６は前側から、図７は後側から夫々示している。図８及び図９は、閉状態にある非電動役物４０の開閉機構部を示した斜視説明図であり、図８は前側から、図９は後側から夫々示している。図１０及び図１１は、開状態にある非電動役物４０の開閉機構部を示した斜視説明図であり、図１０は前側から、図１１は後側から夫々示している。図１２及び図１３は、非電動役物４０の本体ケース４２内部（右ケース５８側）を示した斜視説明図であり、図１２は閉状態を、図１３は開状態を夫々示している。図１４は、閉状態にある非電動役物４０へ遊技球が入賞する様子を示した断面説明図であり、図１５は、開状態にある非電動役物４０へ遊技球が入賞する様子を示した断面説明図である。
【００２１】
非電動役物４０は、チューリップ式電動役物１７同様に前後方向を軸とした回動によって開閉動作する左右一対の羽根部材４１、４１を有するものの、その開閉動作に関して、ソレノイド等ではなく遊技領域１６へ打ち込まれた遊技球を利用するものであって、羽根部材４１、４１の他に、羽根部材４１、４１を回動可能に保持する本体ケース４２、本体ケース４２内に内蔵されている開閉機構部、及び本体ケース４２に取り付けられ、羽根部材４１、４１の開閉状態を検知する検知センサ（フォトセンサ）４３を備えてなる。
【００２２】
各羽根部材４１は、一般的なチューリップ式電動役物に設けられる周知の羽根部材と似た羽根部４１ａと、羽根部４１ａから下方へ徐々に左右方向で内側に湾曲するように延設された球受け部４１ｂとを有する。該羽根部４１ａの基端部には、羽根部４１ａを前後方向で回動可能に軸支するための軸部材８９（図１２、１３に示す）を挿入可能な軸孔４１ｃが穿設されている。また、羽根部４１ａにおける軸孔４１ｃの左右方向で外側となる位置には、羽根部４１ａを後述する開姿勢側へ付勢する錘（遊技球１個の重さよりも軽い）４４が内蔵されている。さらに、球受け部４１ｂの後面には、後方へ突出する保持突起４５が突設されている。そして、左右一対の羽根部材４１、４１は、本体ケース４２の前側において、以下に記載する閉姿勢と開姿勢との間を、前後方向を軸として回動可能に取り付けられる。閉姿勢とは、羽根部４１ａ、４１ａの先端が上方に位置し、左右の羽根部４１ａ、４１ａ間及び左右の球受け部４１ｂ、４１ｂ間が遊技球１個程度の間隔しか離れていない姿勢となる。また、開姿勢とは、羽根部４１ａ、４１ａの先端が左右外方に倒れた位置にあり、左右の羽根部４１ａ、４１ａの先端同士が遊技球３個程度離れているとともに、左右の球受け部４１ｂ、４１ｂの先端同士が当接する姿勢となる。
【００２３】
一方、開閉機構部は、左右方向を軸として前後に傾動する保持部材４６、遊技球の通過に応じ左右方向を軸として上下に揺動する流路部材４８、保持部材４６を後述する起立姿勢側へ付勢するとともに流路部材４８を後述する通常姿勢側へ付勢する錘部材４７、及び錘部材４７を後述する第１姿勢側へ付勢するコイルバネ９０を有する。保持部材４６は、左右方向が厚み方向となる板状に成形された左右一対の腕部同士を、上下方向での略中央部で連結してなる正面視Ｈ字状の部材であって、各腕部の上端外面には、前後への傾動に係る軸となる傾動軸４９が左右外方へ突設されている。また、自身の傾動をガイドするためのガイド軸５０が、両腕部を連結するように左右方向に沿って配されており、該ガイド軸５０の両端は、両腕部の傾動軸４９、４９の下側から左右外方へ突出している。さらに、各腕部の下端部は、左右外側へ湾曲しながら突出しており、当該突出部は、保持突起４５に当接することで羽根部材４１を閉姿勢で保持するための保持部５１として機能するようになっている。そして、保持部材４６は、略垂直に起立する起立姿勢と、保持部５１、５１側が後方へ傾倒する傾倒姿勢との間を、傾動軸４９を軸として前後に傾動可能となっている。
【００２４】
また、錘部材４７は、錘部（遊技球１個の重さよりも軽い）４７ａを中心として、該錘部４７ａの前側にガイド軸５０の腕部間にある箇所を軸支する軸支部５２が、後側に後述する流路部材４８の揺動軸５４に固定される固定部５３が夫々設けられてなる。そして、錘部材４７は、後述するような第１姿勢と第２姿勢との間で姿勢を変更するものの、常に保持部材４６を前側へ付勢するよう、保持部材４６と流路部材４８との間に設けられており、保持部材４６の傾動については独立して許容する一方、流路部材４８の揺動については流路部材４８と共に連動するようになっている。なお、第１姿勢とは、保持部材４６が起立姿勢にあり、且つ、流路部材４８が後述する通常姿勢にある際の姿勢である。また、第２姿勢とは、保持部材４６が傾倒姿勢にあり、且つ、流路部材４８が後述する検知姿勢にある際の姿勢である。
【００２５】
さらに、コイルバネ９０は、前後方向が軸方向とされており、錘部４７ａから上方へ突設された当接片４７ｂの後面に前端が、本体ケース４２の右ケース５８の内面に突設された当接壁９１の前面に後端が夫々当接するような状態で取り付けられ、錘部材４７を第１姿勢側へ、ひいては保持部材４６を起立姿勢側へ付勢している。なお、当接片４７ｂの後面には、取付突起４７ｃが後方へ突設されている一方、当接壁９１の前面には、取付突起９１ａが前方へ突設されており、コイルバネ９０は、各取付突起４７ｃ、９１ａを巻回する格好で取り付けられている。
【００２６】
加えて、流路部材４８は、上下方向が厚み方向となる板状の本体５５と、本体５５の前端に設けられた揺動軸５４と、本体５５の後部から下方へ突設された検知部５６とを備えてなる。本体５５は、前後方向へ延びる前部と、左側へ屈曲して延びる後部とを有する上面視鉤状に成形されており、流路部材４８が検知姿勢をとった際に、当該後部が遊技球を排出するための排出流路７１（図１４、１５に示す）の一部を構成するようになっている。そして、流路部材４８は、前部が当接壁９１の下方に位置し、後部が当接壁９１の後方に突出するように設けられており、後部が上昇している通常姿勢と、遊技球の重さにより後部が下降する検知姿勢との間を揺動軸５４を軸として上下に揺動可能となっている。
【００２７】
一方、本体ケース４２は、左ケース５７と右ケース５８とを組み付けてなるもので、前面は開口しており、内蔵する開閉機構部の保持部材４６を露出可能となっている。また、各ケース５７、５８の前端部には、傾動軸４９を軸支する軸孔５９と、ガイド軸５０の端部が係合可能で、保持部材４６の傾動をガイドするガイド孔６０とが設けられている。軸孔５９は、上下方向へ長い長孔として成形されており、後述するような保持部材４６の傾動時における上下方向へのスライドを許容するようになっている。また、ガイド孔６０は、軸孔５９の下側に設けられており、軸孔５９の所定位置を中心とした円弧状に形成されている。そして、ガイド孔６０の前端には、ガイド孔６０の円弧部の前端から下方へ延びるロック部６０ａが設けられている。
【００２８】
加えて、本体ケース４２の後側の上部には、流路部材４８の後部を露出させるための凹部６１が設けられている。凹部６１の左右両側面は、切り欠かれていたり開口が開設されていたりして、本体ケース４２の右側からの遊技球の流れ込み、及び流路部材４８の本体５５後部上を通過した遊技球の本体ケース４２の左側への排出を可能としている。また、本体ケース４２の後側で、且つ、凹部６１の下側には、検知センサ４３を取り付けるための切り欠き部６３が設けられている。さらに、本体ケース４２の左右両側面の略中央部には、揺動軸５４を軸支するための軸受部６４が設けられている。なお、当接壁９１は、凹部６１の前面側を一部閉塞するように設けられている。
【００２９】
そして、上記非電動役物４０は、羽根部材４１、４１がセンター部材２６内に設けられているステージ７９の前縁（更には左右方向で中央）に隣接し、且つ、本体ケース４２がステージ７９の下部に内蔵された状態で設置される（図１４、１５に示す）。また、ステージ７９の所定位置には作動口が開設されており、ステージ７９の下方には、作動口へ進入した遊技球を遊技盤２の後面側へ排出するための排出流路７１が延びている。そして、排出流路７１の途中に、上記設置状態にある非電動役物４０の凹部６１が位置して、流路部材４８の後部がその一部を担うようになっている。
【００３０】
なお、ステージ７９は、センター部材２６に進入した遊技球が最終的に到達する場所であって、その上面は前方へむかって下降傾斜する傾斜面とされている。そして、ステージ７９に到達した遊技球は、作動口へ進入するか、前方へ転動して非電動役物４０に入賞するか、それとも非電動役物４０の左右両側にある排出口からセンター部材２６外へ排出されるかするようになっている。
【００３１】
上述したように設置されている非電動役物４０では、羽根部材４１、４１が閉姿勢にある閉状態が通常状態となる。この閉状態では、保持部材４６が起立姿勢にあって、羽根部材４１、４１の保持突起４５、４５間に保持部材４６が入り込んでおり、保持部５１、５１が保持突起４５、４５を左右方向で内側から保持する格好で、羽根部材４１、４１を閉姿勢のまま保持している。また、このとき傾動軸４９は軸孔５９の下端位置にあり、ガイド軸５０の端部はガイド孔６０におけるロック部６０ａの下端位置にある。さらに、流路部材４８は、上記通常姿勢にある。
【００３２】
当該閉状態にある際に、排出流路７１を流下してきた遊技球が流路部材４８上に到達すと、その遊技球の重さにより、流路部材４８が、錘部材４７及びコイルバネ９０の付勢力に抗して通常姿勢から検知姿勢へと姿勢を変更する。すると、保持部材４６は、流路部材４８と共に移動する錘部材４７に後側へ引っ張られて、起立姿勢から傾倒姿勢へと姿勢を変更する。すなわち、羽根部材４１、４１の保持突起４５、４５間にあった保持部５１、５１が、保持突起４５、４５よりも後側まで引っ張られた格好となる。したがって、錘４４、４４の付勢力により、羽根部材４１、４１が左右外方へ倒れて開姿勢へと姿勢を変更する。つまり、非電動役物４０が、羽根部材４１、４１が開姿勢にある開状態となる。
【００３３】
なお、起立姿勢から傾倒姿勢への姿勢変更の過程において、保持部材４６はガイド孔６０の形状に沿って移動するため、ロック部６０ａに沿って一旦上方へスライドした後で前傾姿勢（すなわち傾倒姿勢）側へと傾動することになる。そして、この保持部材４６の上方へのスライドは、羽根部材４１、４１の回動とは独立しており、保持部材４６が傾動して初めて羽根部材４１、４１は開姿勢側への回動を開始することになる。また、遊技球が通過してしまうと、流路部材４８は、錘部材４７及びコイルバネ９０の付勢力により通常姿勢側へ復帰しようとする。しかしながら、保持部材４６の前面（具体的には保持部５１、５１の前面）が保持突起４５、４５の後端に当接し、保持部材４６の起立姿勢側への移動が規制されるため、流路部材４８も検知姿勢のまま保持されることになる。さらに、流路部材４８の姿勢変更に伴って検知部５６が検知センサ４３に達し、検知センサ４３による検知部５６の検知状態が検知となる。該検知センサ４３による検知部５６の検知／非検知に係る判断はメイン制御装置で行われる。したがって、メイン制御装置は、該検知結果にもとづいて非電動役物４０が閉状態にあるか開状態にあるかを把握することができる。
【００３４】
また、上記開状態にある非電動役物４０に対し、ステージ７０上を転動してきた遊技球が入賞すると、その遊技球の重さにより、羽根部材４１、４１が閉姿勢へ復帰する。すると、羽根部材４１、４１の閉姿勢への復帰に応じて、起立姿勢側へ付勢されている保持部材４６が再び保持突起４５、４５間へ自動的に入り込み（すなわち起立姿勢に復帰し）、非電動役物４０は、羽根部材４１、４１が閉姿勢で保持された上記閉状態に復帰する。このとき、流路部材４８も上昇位置へ復帰するため、検知センサ４３による検知部５６の検知状態は非検知となる。なお、非電動役物４０へ入賞した遊技球は、非電動役物４０の下側から延設されている排出流路を通って、遊技盤２の後面側へ排出される。また、閉状態にある非電動役物４０に対しても遊技球は入賞可能であるものの、閉状態にある非電動役物４０に入賞した場合には、羽根部材４１、４１等に作用することなく排出される（すなわち、非電動役物４０の状態は閉状態から変化しない）。
【００３５】
（本実施形態のパチンコ機による効果）
以上のような構成を有するパチンコ機１によれば、保持部材４６を起立姿勢側へ付勢する錘部材４７に当接片４７ｂを設ける一方、当接片４７ｂよりも後側に突出する当接壁９１を本体ケース４２内に設け、当接壁９１の前面に一端を、当接片４７ｂの後面に他端を夫々当接させようにしてコイルバネ９０を取り付け、当該コイルバネ９０により保持部材４６が起立姿勢である際の姿勢である第１姿勢側へ錘部材４７を付勢するようにした。言い換えるなら、コイルバネ９０によって保持部材４６を間接的に起立姿勢側へ付勢するようにした。したがって、従来よりも羽根部材４１、４１を閉姿勢のままで保持する力が強く、たとえ遊技者によりパチンコ機１に衝撃が加えられる等したとしても、羽根部材４１、４１が不用意に開動作してしまう事態を効果的に防止することができる。
【００３６】
また、非電動役物４０において、羽根部材４１、４１の開閉動作を規制／許容する保持部材４６に、左右外側へ突出する傾動軸４９、４９を設けるとともに、傾動軸４９、４９の下側に、両端が左右外側へ突出するガイド軸５０を設ける一方、本体ケース４２に、傾動軸４９を軸支する軸孔５９として、上下方向に長い長孔状の軸孔５９を設けるとともに、軸孔５９の下側に、ガイド軸５０の端部が係合可能で、保持部材４６の傾動を案内する円弧状で、且つ、前端に下方へ延びるロック部６０ａを有するガイド孔６０を設けている。そして、保持部材４６を、起立姿勢にあっては、傾動軸４９が軸孔５９の下端に、ガイド軸５０の端部がロック部６０ａの下端に夫々位置させた状態とする一方、遊技球の通過に伴う流路部材４８の姿勢変更に引っ張られることにより、起立姿勢から傾倒姿勢へ姿勢を変更するに際しては、一旦上方へスライドした後で左右方向を軸として傾動するようにした。すなわち、羽根部材４１、４１の回動とは独立して保持部材４６を一旦上方へスライドさせなければ、羽根部材４１、４１は開動作しないようになっている。したがって、羽根部材４１に針金等の不正部材を引っかける等して開動作させようとしても羽根部材４１が開動作することはなく、防犯性の高い遊技機とすることができる。
【００３７】
（本発明の変更例について）
なお、本発明の遊技機に係る構成は、上記実施形態に何ら限定されるものではなく、遊技機全体の構成は勿論、非電動役物に係る構成等についても、本発明の趣旨を逸脱しない範囲で必要に応じて適宜変更可能である。
【００３８】
たとえば、上記実施形態では、コイルバネの他端を作動手段に当接させることで、コイルバネが保持手段を起立姿勢側へ間接的に付勢するように構成しているが、作動手段ではなく保持手段の後面に当接させ、コイルバネが保持手段を起立姿勢側へ直接付勢するように構成することも可能である。
【００３９】
また、上記実施形態では、ガイド軸の左右両端部をガイド部として保持部材の側面から左右外方へ突出させているが、どちらか一方の端部のみをガイド部として突設するように構成することも可能である。
さらに、上記実施形態では、センター部材の内部に非電動役物を設けているが、遊技領域内であればセンター部材外に非電動役物を設けても何ら問題はなく、非電動役物の設置位置は適宜設計変更可能である。さらにまた、上記実施形態のように非電動役物を所謂図柄始動手段として設けるのではなく、大入賞装置等の特別入賞手段として設けることも可能である。またさらに、複数の非電動役物を設けることも当然可能であるが、複数の非電動役物のうち少なくとも１つの非電動役物について上記コイルバネが取り付けられる等していれば本発明に係る権利範囲に含まれていると言える。
【００４０】
また、非電動役物が閉状態にあるか開状態にあるかの検知結果にもとづいて、たとえば開状態が正常な開状態であるか否かを判断し（本実施形態であれば、図柄始動口への入賞から所定時間内に開状態を検知すると正常であると判断し、図柄始動口への入賞を検出していない状況で開状態を検知したり、入賞検出から所定時間を超えて開状態を検知したりすると異常であると判断する等）、正常な開状態でない場合には遊技機外へ不正信号を出力したり、警告音を報知したりするように構成することも可能である。
【００４１】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、付勢手段、保持突起、羽根手段、保持部、保持手段、本体ケース、非電動役物、当接部、コイルバネ等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００４２】
１・・パチンコ機（遊技機）、２６・・センター部材、４０・・非電動役物、４１・・羽根部材（羽根手段）、４２・・本体ケース、４３・・検知センサ（検知手段）、４４・・錘（付勢手段）、４５・・保持突起、４６・・保持部材（保持手段）、４７・・錘部材（作動手段）、４７ｂ・・当接片、４８・・流路部材（作動手段）、４９・・傾動軸、５０・・ガイド軸（ガイド部）、５１・・保持部、５６・・検知部、５９・・軸孔、６０・・ガイド孔、６０ａ・・ロック部、９０・・コイルバネ、９１・・当接壁（当接部）。
【図１】
2020156736.tif 000003
【図２】
2020156736.tif 000004
【図３】
2020156736.tif 000005
【図４】
2020156736.tif 000006
【図５】
2020156736.tif 000007
【図６】
2020156736.tif 000008
【図７】
2020156736.tif 000009
【図８】
2020156736.tif 000010
【図９】
2020156736.tif 000011
【図１０】
2020156736.tif 000012
【図１１】
2020156736.tif 000013
【図１２】
2020156736.tif 000014
【図１３】
2020156736.tif 000015
【図１４】
2020156736.tif 000016
【図１５】
2020156736.tif 000017